【手続補正書】
【提出日】平成20年8月25日(2008.8.25)
【手続補正１】
【補正対象書類名】明細書
【補正対象項目名】全文
【補正方法】変更
【補正の内容】
【書類名】  明細書
【発明の名称】  高周波加熱装置
【特許請求の範囲】
【請求項１】  被加熱物を加熱する加熱室と、前記加熱室用の照明ランプと、前記照明ランプを固定する取付板とを備えた高周波加熱装置であって、前記照明ランプは光源部と保持部とを有し、前記照明ランプの保持部は第１のフランジ部と穴が設けられた第２のフランジ部とを有し、前記取付板は、前記第１のフランジを挿入する穴を有する部位と所定の間隔を有する部位とを有し、前記所定の間隔を有する部位の一部が前記第２のフランジに設けられた穴に嵌合することを特徴とする高周波加熱装置。
【請求項２】  前記照明ランプの光源部を覆う照明ランプカバーがさらに設けられ、前記照明ランプカバーは、前記照明ランプの光源部を覆うカバー部と前記照明ランプの本体を保持する保持部とを備え、前記カバー部と前記保持部の境界部との間に仕切り板が設けられたことを特徴とする請求項１に記載の高周波加熱装置。
【請求項３】  高周波加熱装置本体は２００Ｖ機器であり、前記照明ランプは１００Ｖ仕様のものを２個直列に結線したことを特徴とする請求項１に記載の高周波加熱装置。
【発明の詳細な説明】
【０００１】
【発明の属する技術分野】
本発明は電子レンジ及びオーブン電子レンジにおける、被加熱物を加熱する加熱室を照明する照明ランプの取付方法に関するものである。
【０００２】
【従来の技術】
近年の地球環境へ配慮した各方面でみられる省エネルギー・高効率化を実現する機器の開発がめざましく進められている。そのような状況のもと、家電製品においても同様に省エネルギー・高効率化を目指した機器が開発されている。その中にあって高周波加熱装置である電子レンジ及びオーブン電子レンジにおいては、１００Ｖ系機器における地道な省エネルギー・高効率化の開発が進められている一方、１００Ｖ系よりも高出力であり、かつ高効率な２００Ｖ系機器が注目されており、２００Ｖ系機器の開発に力が注がれている。
【０００３】
【発明が解決しようとする課題】
しかしながら、２００Ｖ系機器の開発を進めていく上での課題のひとつに、主要な電気部品を２００Ｖ化するために新規に投資し開発しなければならないという課題がある。加熱室を照明する照明ランプもその一つである。従来の高周波加装置本体に使用されていた形状の照明ランプを開発するには、新たな部品の作成に伴う金型投資及び信頼性評価等の開発工数が必要となってくる。このことは、地球環境へ配慮した省エネルギー・高効率化を目的とする観点からみると無駄な投資が発生するという課題がある。
【０００４】
また、従来の高周波加装置本体に使用されていた従来の照明ランプの取付方法は、ビスによる締結であり、高周波加装置本体組立工数を押し上げる一因でもあった。
【０００５】
【課題を解決するための手段】
本発明は上記課題を解決するため、照明ランプを固定・保持する板金からなる取付板の一方には角穴を設け、他方には曲げ加工により所定の間隔を有する部位を設け、前記所定の間隔を有する部位の他方に突起部を設ける構成とした取付板に、照明ランプの取付部に設けられたフランジ部の一方を前記取付板の角穴に挿入し、他方のフランジ部は前記取付板の所定の間隔を有する部位に挿入し、かつ照明ランプのフランジ部に設けられたビスによる締結穴に、前記取付板の所定の間隔を有する部位の片方に設けられた突起部を合わせて取付ける構成とした。
【０００６】
更に、照明ランプの光を効率よく庫内に照射するために、照明ランプの光源を覆う照明ランプカバーを設け、照明ランプカバーは、照明ランプの光源を覆うカバー部と前記照明ランプの本体を保持する保持部からなり、カバー部と保持部の境界部には、これら二つの部位を仕切る仕切り板を設ける構成としたものである。
【０００７】
そして、照明ランプは１００Ｖ仕様のものを２個直列に結線し、高周波加熱装置本体の２００Ｖ機器に対応した構成である。
【０００８】
上記発明によれば、ビスによる照明ランプを締結し取付る必要がなくなり、高周波加装置本体組立工数を引き下げることが実現できると同時に、照明ランプは完全に固定されないため、ドア開閉などによる衝撃を緩和されるので照明ランプのフィラメント切れ等の耐久性が向上するという効果がある。
【０００９】
そして、照明ランプの光源を覆うカバー部と照明ランプの本体を保持する保持部からなる照明ランプカバーと、カバー部と保持部の境界部には、これら二つの部位を仕切る仕切り板を設けることにより、加熱室からの熱気及び照明ランプ自体の発熱から、照明ランプ本体を保持する保持部を保護する効果がある。
【００１０】
さらに、照明ランプは１００Ｖ仕様のものを２個直列に結線しているので、新規に２００Ｖ仕様の照明ランプを開発する必要がなくなるため、地球環境へ配慮した省エネルギー・高効率化を目的とする観点からみて無駄な投資を抑制することになり、結果的に地球環境へ配慮した開発をすることにつながるものである。
【００１１】
【発明の実施の形態】
本発明の請求項１にかかる高周波加熱装置は、被加熱物を加熱する加熱室と、前記加熱室用の照明ランプと、前記照明ランプを固定する取付板とを備えた高周波加熱装置であって、前記照明ランプは光源部と保持部とを有し、前記照明ランプの保持部は第１のフランジ部と穴が設けられた第２のフランジ部とを有し、前記取付板は、前記第１のフランジを挿入する穴を有する部位と所定の間隔を有する部位とを有し、前記所定の間隔を有する部位の一部が前記第２のフランジに設けられた穴に嵌合する構成とした。こうすることにより、ビスによる照明ランプを締結し取付る必要がなくなり、高周波加装置本体組立工数を引き下げることが実現できると同時に、照明ランプは完全に固定されないため、ドア開閉などによる衝撃が緩和されるので照明ランプのフィラメント切れ等の故障を防止できるので耐久性を向上させることができる。
【００１２】
本発明の請求項２にかかる高周波加熱装置は、前記照明ランプの光源部を覆う照明ランプカバーがさらに設けられ、前記照明ランプカバーは、前記照明ランプの光源部を覆うカバー部と前記照明ランプの本体を保持する保持部とを備え、前記カバー部と前記保持部の境界部との間に仕切り板が設けられる構成としたので、加熱室からの熱気及び照明ランプ自体の発熱から、照明ランプ本体を保持する保持部を保護することができる。
【００１３】
本発明の請求項３にかかる高周波加熱装置は、２００Ｖ機器に対応するため、前記照明ランプは従来の１００Ｖ仕様のものを２個直列に結線する構成としているので、新規に２００Ｖ仕様の照明ランプを開発する必要がなくなるため、無駄な投資を抑制することができる。
【００１４】
【実施例】
以下、本発明の実施例について図面を用いて説明する。
【００１５】
（実施例１）
図２は、本発明の実施例１における高周波加熱装置の斜視図である。
【００１６】
図２において、加熱室１の前面には、被加熱物を出し入れするためのドア２を設けている。なお、ドア２の下部には操作部３がドアと一体に形成している。加熱室１の上面と左右側面にはキャビネット４を設けている。次に、図３、図４、図１を用いて本発明の照明ランプ取付け構成について説明する。図３は、本発明の一実施例の高周波加熱装置の照明ランプ取付け構成を示す断面図である。図３において、加熱室１は上壁面５と側面壁６より構成されている。側面壁６には、照明ランプ７の光を加熱室１内の被加熱物（図示せず）へ照射するための光の通過口８が設けられている。側面壁６の外側に照明ランプ７が設けられている。照明ランプ７は、取付板９により固定・保持され、更にその取付板９は略Ｓ字型をした照明ランプカバー１０とともに断熱版１１にビス１２により固定されている。照明ランプカバー１０の上部と下部の境界部つまり、照明ランプ７の光源と光源の保持部の境界部を仕切る仕切り板１３が設けられている。照明ランプ７の光源により発生する光を効率よく加熱室１内の被加熱物に照射するために、加熱室１内に直接照射される直接光だけでなく、加熱室１内と反対側に向かう直接光を反射させ、反射光も加熱室１内に照射するように照明ランプカバー１０を設けているのである。本実施例では光源と対向する照明ランプカバー１０の形状は平行な平面であるが、更に効率を上げるために、角度を任意に設定するか曲面に加工する方法もある。一般的に電子レンジ及びオーブン電子レンジに使用されている照明ランプ７の光源は、発光効率を向上させるために真空にするかあるいはハロゲン等の不活性ガスが封入されており、この光源部から前記ガスが漏れないように有機・無機系の接着剤により封止されているが、この部位が高温になると未使用時の温度との温度差が著しくなり熱膨張による応力により光源部と接着剤間で微小な隙間が生じ封止されているガスが漏れるために、照明ランプ７の寿命が短くなるという課題がある。こういう課題を解決するために、照明ランプカバー１０の上部と下部の境界部に仕切り板１３を設けて、照明ランプ７自体の発熱による温度上昇と加熱室１からの熱気による温度上昇を防止しているのである。
【００１７】
次に、図４は前述した本発明の一実施例の高周波加熱装置の照明ランプを取付ける構成部品を示す分解斜視図である。図４において、照明ランプ７は光源部７ａと保持部７ｂより構成されている。保持部７ｂは両端に照明ランプ７を取付けるためのフランジ部７ｃがあり、そのフランジ部７ｃにはビス等により固定するための締結穴７ｄが設けられている。そして、９は前述した照明ランプ７を取付ける取付板であり、１０は照明効率を向上させる照明ランプカバーで、これはカバー部１０ａと保持部１０ｂから構成されている。最後に１３は仕切り板であり、前述した照明ランプ７の封止部の温度上昇を防止するために、仕切り板１３に設けられた開口に照明ランプ７を挿入し、照明ランプカバー１０の上下部の境界部に取付けられるものである。
【００１８】
そして、図１（ａ）は前述した本発明の一実施例の高周波加熱装置の照明ランプの取付方法を示す斜視図であり、図１（ｂ）は同断面図である。図１（ａ）、図１（ｂ）において、板金を加工して構成された取付板９には、角穴９ａと、曲げ加工により所定の間隔、図１（ａ）、図１（ｂ）では（Ｌ）を有する部位９ｂと、その所定の間隔を有する部位９ｂの他方に設けられた突起部９ｃが設けられており、前述した角穴９ａに照明ランプ７の一方のフランジ部７ｃを斜めに挿入し、そして他方のフランジ部７ｃを前述した所定の間隔を有する部位９ｂに照明ランプ７を回転させながら挿入し、照明ランプ７の締結穴７ｄと取付板９の突起部９ｃを嵌合させることにより照明ランプ７を固定するものである。なお、所定の間隔を有する部位９ｂは、板厚及びフランジの断面形状を変えることにより任意にその強度を設定することが可能なので、照明ランプ７の締結穴７ｄと取付板９の突起部９ｃを嵌合させる際に取付板９をたわませる力を最適なものにすることができるものである。また、図１（ａ）、図１（ｂ）では（Ｌ）という所定の間隔を任意に設定できると同時に、前述した板厚及びフランジの断面形状を変えることにより任意に取付板９をたわませる力を設定することができるので、柔軟な嵌合から硬い嵌合まで任意に設定できるものである。この方法による取付によれば、ビスにより照明ランプを締結し取付る必要がなくなり、高周波加装置本体組立工数を引き下げることが実現でき、安価な高周波加熱装置を提供することができると同時に、照明ランプは完全に固定されず、更に柔軟な嵌合から硬い嵌合まで任意に設定できるため、ドア開閉などによる衝撃力をその強度に応じて前述した嵌合部内の可動範囲で吸収することができるので衝撃による照明ランプのフィラメント切れ等の故障を防止し耐久性を向上させることができるものである。
【００１９】
図５は前述した本発明の一実施例の高周波加熱装置の照明ランプの結線方法を示す回路図である。図５において、電源２００Ｖの取入れ部１４から供給される電力は、高周波出力発生手段１５・冷却手段１・ヒータ１７等を駆動させる。加熱室１内を照明する照明ランプ７は、従来の１００Ｖ仕様のものを２個直列に結線されている。このように結線することにより、新規に２００Ｖ仕様の照明ランプを開発する必要がなくなるため、地球環境へ配慮した省エネルギー・高効率化を目的とする観点からみて無駄な投資を抑制することになり、結果的に地球環境へ配慮した開発をすることにつながるものである。更に、当然の結果ではあるが、従来の高周波加熱装置に比較して、加熱室１内の被加熱物に倍の光が照射されるので微妙な加熱具合を良く観察できるため、使い勝手が向上するという効果がある。
【００２０】
【発明の効果】
以上のように、請求項１〜３に記載の発明によれば、ビスにより照明ランプを締結し取付る必要がなくなり、高周波加装置本体組立工数を引き下げることが実現でき、安価な高周波加熱装置を提供することができると同時に、照明ランプは完全に固定されず、更に柔軟な嵌合から硬い嵌合まで任意に設定できるため、ドア開閉などによる衝撃力をその強度に応じて前述した嵌合部内の可動範囲で吸収することができるので衝撃による照明ランプのフィラメント切れ等の故障を防止し耐久性を向上させることができる。
【００２１】
又、照明ランプの発光効率を向上させるために光源に封入されているハロゲン等の不活性ガスあるいは真空状態が、このガス等を封止している部位が高温になり未使用時との温度差による応力により隙間が生じガスが漏れるため、寿命が短くなるといういう課題を、前述した封止部に高温の熱気がさらされることを回避することが可能となり、課題を克服し寿命を向上させることができるという効果を有する。
【００２２】
又、新規に２００Ｖ仕様の照明ランプを開発する必要がなくなるため、地球環境へ配慮した省エネルギー・高効率化を目的とする観点からみて無駄な投資を抑制することになり、結果的に地球環境へ配慮した開発をすることにつながるものである。更に、当然の結果ではあるが、従来の高周波加熱装置に比較して、加熱室内の被加熱物に倍の光が照射されるので微妙な加熱具合を良く観察できるため、使い勝手が向上するという効果を有する。
【図面の簡単な説明】
【図１】
（ａ）本発明の実施例１における高周波加熱装置の照明ランプの取付を示す斜視図
（ｂ）本発明の実施例１における高周波加熱装置の照明ランプの取付の断面図
【図２】
本発明の実施例１における高周波加熱装置の斜視図
【図３】
本発明の実施例１における高周波加熱装置の照明ランプ取付け構成を示す断面図
【図４】
本発明の実施例１における高周波加熱装置の照明ランプを取付ける構成部品を示す分解斜視図
【図５】
本発明の実施例１における高周波加熱装置の照明ランプの結線方法を示す回路図
【符号の説明】
７  照明ランプ
７ａ  光源部
７ｂ  保持部
７ｃ  フランジ部
７ｄ  締結穴
９  取付板
９ａ  角穴
９ｂ  所定の間隔を有する部位
９ｃ  突起部
１０  照明ランプカバー
１０ａ  カバー部
１０ｂ  保持部
１３  仕切り板